(57)【要約】【課題】複数のネットオークションサイトの情報を一括して抽出し、抽出した情報を編集して、ネットオークションに関する統計データとしてユーザに提供する。【解決手段】インターネットＮを介して、ユーザ側端末１とネットオークション運営者のコンピュータ２と接続可能な管理コンピュータ３は、複数のネットオークションサイトから適宜オークション情報を取得し、ローカルな記憶手段に保存しておく。ユーザ端末１から任意個数のネットオークションサイトに関する情報の提供依頼を受けると、前記記憶手段を参照し、あるいはネットオークションサイトにアクセスして得た情報を、適宜編集してＷｅｂページデータを作成し、ユーザ側端末１に表示させる。ユーザ側端末１は、個々のネットオークションサイトにアクセスしなくとも、管理コンピュータ３にアクセスすれば、複数のネットオークションサイトの情報を一括して得ることができる。【選択図】  図１
2007199794.tif 000002
【特許請求の範囲】
【請求項１】
１以上任意個数のネットオークションサイトの情報を一括して抽出し、抽出した情報を編集して提供するネットオークションに関する統計データ提供システムであって、
管理コンピュータは、
インタフェース部と処理部と記憶部を備え、
前記インタフェース部を介してインターネットを経由し、ネットオークションサイトを運営するサイト運営コンピュータ及び一般ユーザのユーザ側端末と接続可能であり、
前記処理部は、前記サイト運営コンピュータから当該サイトのオークション情報を抽出する実サイト情報取得手段と、
抽出した情報を前記記憶部に保存する実サイト情報書込手段と、
ユーザ側端末から送信される情報提供のための依頼信号を受信するユーザ依頼受付手段と、
前記依頼信号に従い、前記サイト運営コンピュータあるいは前記記憶部にアクセスし、必要な情報を取り出す情報抽出手段と、
この取り出した情報を前記依頼信号に応じて編集する情報編集手段と、
編集した情報を含むＷｅｂページデータを、前記情報提供を依頼してきたユーザ側端末に返信する情報返信手段と、
を備えることを特徴とするネットオークションに関する統計データ提供システム。
【請求項２】
前記ユーザ側端末は、前記ネットオークションサイトから任意のものを選択し、前記管理コンピュータに対し、選択したサイトに関する情報提供を依頼することを特徴とする請求項１に記載のネットオークションに関する統計データ提供システム。
【請求項３】
前記の編集した情報を含むＷｅｂページは、各ネットオークションサイトに共通なフォーマットを用い、ネットオークションサイト毎のデータを並列表示することを特徴とする請求項１又は請求項２のいずれかに記載のネットオークションに関する統計データ提供システム。
【請求項４】
前記ユーザ側端末に返信するために編集した情報には、ネットオークションにかけられた任意の出品に関する入札価格を時系列でグラフ表示したものを含むことを特徴とする請求項１に記載のネットオークションに関する統計データ提供システム。
【請求項５】
１以上任意個数のネットオークションサイトの情報を一括して抽出し、抽出した情報を編集してネットオークションに関する統計データを提供する方法であって、
この方法を提供する管理コンピュータは、
インタフェース部と処理部と記憶部を備え、
前記インタフェース部を介してインターネットを経由し、ネットオークションサイトを運営するサイト運営コンピュータ及び一般ユーザのユーザ側端末と接続可能であり、
前記処理部は、
前記サイト運営コンピュータから当該サイトのオークション情報を抽出するステップと、
抽出した情報を前記記憶部に保存するステップと、
前記ユーザ側端末から送信される情報提供のための依頼信号を受信するステップと、
前記依頼信号に従い、前記サイト運営コンピュータあるいは前記記憶部にアクセスし、必要な情報を取り出すステップと、
この取り出した情報を前記依頼信号に応じて編集するステップと、
編集した情報を含むＷｅｂページデータを、前記情報提供を依頼してきたユーザ側端末に返信するステップと、
を実行することを特徴とするネットオークションに関する統計データ提供方法。
【請求項６】
請求項１〜４のいずれか１に記載のネットオークション統計システムの機能を、前記管理コンピュータに実現させるためのコンピュータプログラム。
【発明の詳細な説明】
【技術分野】
【０００１】
複数のネットオークションサイトの情報を一括して抽出し、抽出した情報を編集して、オークション統計データとしてユーザに提供するオークション統計システム、方法及びコンピュータプログラムに関する。
【背景技術】
【０００２】
インターネットの広範かつ急速な普及に伴い、インターネットを利用したオークション（以下「ネットオークション」）も活況を呈するようになってきた。
ネットオークションの利点は、自宅に居ながらにして、自分の都合のよい時間に、パソコンや携帯電話の簡単な操作によって、売り手あるいは買い手としてオークションに参加できるところにある。しかも、単価の安い物を１個からでも売買できるという敷居の低さも魅力である。
【発明の開示】
【発明が解決しようとする課題】
【０００３】
ネットオークションは今後一層普及することが見込まれるが、現状では、次のような問題点がある。すなわち、ネットオークションに参加するには、特定のオークション運営サイトにアクセスする必要がある。その運営サイトに関する情報は入手可能であるとしても、他の運営サイトに関する情報は入手できない。例えば、ある運営サイトにアクセスしたが、購入を希望する品物が目下オークションにかけられていないならば、別の運営サイトにアクセスし、希望の品物を探さなければならない。見つかるまで、個々の運営サイトにアクセスしなければならないことになる。
このように、個々のオークション運営サイトが、自己のサイトに関する情報しか提供していない現状は、オークションの利用者にとって、時間と手間を強いることになる。また、運営サイトによって情報の表示の仕方が異なるので、運営サイト間の情報を比較する際に不便である。
デイトレーダの急増などに鑑みると、今後ネットオークションを扱うサイトも急増が予想されるので、このような問題点の解決は急を要すると考えられる。
【０００４】
【特許文献１】特開２００５−１９６４１８号公報
【特許文献２】特開２００４−５２４０号公報  特開２００５−１９６４１８「ネットオークションサーバ及びネットオークション プログラム」においては、ネットワークを介してオークションを行うネットオークションサーバであって、品名毎の入札の統計情報を含む情報が記憶された統計情報記憶手段と、出品者の装置からネットワークを介して出品要求を取得すると、該出品要求の品名に基づいて前記統計情報記憶手段に記憶された品名毎の入札の統計情報を検索し、該統計情報に基づいて、前記ネットオークションの入札終了の時刻を決定する入札終了時刻決定手段とを有するネットオークション サーバが開示されている。  しかしながら、上記発明は、ネットオークションシステムを提供する単一のサーバにおいて、現在出品されている商品の統計をとるものに過ぎず、複数のシステムの検索や、過去の統計情報などを扱うことはできない。  また特開２００４−５２４０「ネットオークションシステムの運用方法」においては、ネットオークションを管理するサーバーによるネットオークションシステムの運用方法であって、前記サーバーは、出品者のクライアントから、出品者のＩＤ、出品物の属性情報、最低落札価格などを含んだ出品要求を受信する工程と、前記受信した出品要求に係る出品物についての一以上の市場販売価格を、ネットワーク上に接続された前記市場販売価格を管理する一以上のデータベースから検索する工程と、前記検索した一以上の市場販売価格をもとに適正最低落札価格を算定する工程と、前記受信した最低落札価格と前記適正最低落札価格とを比較し、前記受信した最低落札価格が上回った場合に、前記適正最低落札価格もしくはそれ以下の価格を最低落札価格とする旨を承諾するかどうかを問い合わせるメッセージを前記出品者のクライアントに送信する工程と、前記出品者のクライアントから、前記問い合わせメッセージに応じて、承諾する旨のメッセージを受信した場合に、前記適正最低落札価格もしくはそれ以下の価格を最低落札価格として前記出品要求を受け付ける工程と、を有するネットオークションシステムの運用方法が開示されている。  しかしながら、上記発明も、ネットオークションシステムを提供する単一のサーバにおいて、現在出品されている商品の情報を得る際に、適正価格化どうかをネットワーク上の複数のサーバに検索して問い合わせる工程が含まれているにすぎず、複数のオークションシステムの検索や、過去の統計情報などを扱うことはできない。
【０００５】
ネットオークションの健全な発展のためには、適切な情報開示によるネットオークション市場の透明性が欠かせない。そのためには、ネットオークション市場を構成するネットオークション運営者、一般ユーザ（顧客）、決済銀行からなるネットオークション取引所の設立が望まれる。これは、株取引における証券取引所に相当するものである。本発明は、ネットオークション取引所構想において不可欠なシステムの提供を目的とする。
特に、対一般ユーザという観点からは、複数のオークション運営サイトから抽出した情報を一括して提供することを目的とする。
【課題を解決するための手段】
【０００６】
これらの目的を実現するために、請求項１に記載の発明は、１以上任意個数のネットオークションサイトの情報を一括して抽出し、抽出した情報を編集して提供するネットオークションに関する統計データ提供システムであって、管理コンピュータは、インタフェース部と処理部と記憶部を備え、前記インタフェース部を介してインターネットを経由し、ネットオークションサイトを運営するサイト運営コンピュータ及び一般ユーザのユーザ側端末と接続可能であり、前記処理部は、前記サイト運営コンピュータから当該サイトのオークション情報を抽出する実サイト情報取得手段と、抽出した情報を前記記憶部に保存する実サイト情報書込手段と、ユーザ側端末から送信される情報提供のための依頼信号を受信するユーザ依頼受付手段と、前記依頼信号に従い、前記サイト運営コンピュータあるいは前記記憶部にアクセスし、必要な情報を取り出す情報抽出手段と、この取り出した情報を前記依頼信号に応じて編集する情報編集手段と、編集した情報を含むＷｅｂページデータを、前記情報提供を依頼してきたユーザ側端末に返信する情報返信手段と、を備えることを特徴とする。
【０００７】
統計データとは、何らかのデータ処理がなされたデータを広く含む意味である。
実サイト情報とは、本発明の管理コンピュータが、ネットオークションサイトに直接アクセスして得た情報のことである。
また、本発明のユーザには、ネットオークションに参加しようとする者と、ネットオークション運営者とが考えられる。前者を後者と区別するために、前者を特に「一般ユーザ」ということにする。
これにより、本発明のシステムの一般ユーザは、複数のオークション運営サイトの情報を一括して取得できる。オークションへの参加を希望する一般ユーザは、どの運営サイトを選択するか、いつどのように振舞うことが適切か、入札価格の相場はいくらか、等の意思決定に有用な情報を簡便に入手できる。
【０００８】
また、本発明の目的を実現するために、請求項２に記載の発明は、請求項１に記載のネットオークションに関する統計データ提供システムにおいて、前記ユーザ側端末は、前記ネットオークションサイトから任意のものを選択し、前記管理コンピュータに対し、選択したサイトに関する情報提供を依頼することを特徴とする。
これにより、一般ユーザは、自分にとって関心のあるネットオークションサイトの情報のみを入手できる。
【０００９】
さらに、本発明の目的を実現するために、請求項３に記載の発明は、請求項１又は請求項２のいずれかに記載のネットオークションに関する統計データ提供システムにおいて、前記の編集した情報を含むＷｅｂページは、各ネットオークションサイトに共通なフォーマットを用い、ネットオークションサイト毎のデータを並列表示することを特徴とする。
これにより、各サイトから各様のフォーマットで提供される情報が、本発明のシステムでは、統一したフォーマットの下、サイト間での比較が容易となるように表示されるので、ユーザはサイト間のデータを比較参照することが容易となる。
【００１０】
請求項４に記載の発明は、本発明の目的を実現するために、請求項１に記載のシステムにおいて、前記ユーザ側端末に返信するために編集した情報には、ネットオークションにかけられた任意の出品に関する入札価格を時系列でグラフ表示したものを含むことを特徴とする。
【００１１】
「出品に関する入札価格」には、開催中の出品の入札価格のみならず、落札済みの出品の落札に至るまでの入札価格の変化も含む。
これにより、ユーザは関心のある商品に関する入札価格の相場を知ることができ、不利な価格で売買するといったことがなくなる。特に、あまり安くない中古品を衝動買いする傾向の有る人には、有意義な情報となる。
また、ネットオークションサイトによっては、既に落札された商品に関する情報を得ることが出来ない場合がある。しかし、本発明では、落札品に関する情報も、ユーザによる検索が可能である。
【００１２】
前記した管理コンピュータによるネットオークションに関する統計データの提供方法、及び、管理コンピュータにネットオークションに関する統計データの提供を実行させるためのコンピュータプログラムも、本発明である。
【発明の効果】
【００１３】
本発明によれば、複数のネットオークションサイトをデータから観察できる。
一般ユーザにとって、客観的なデータに基づく、オークションサイト間の評価が可能となる。しかも、複数のネットオークション運営サイトの情報を同時に一括して入手できるので、サイト間の比較を迅速かつ容易に行うことができ、売り手あるいは買い手のいずれであっても、オークションに参加する際、適切な判断に基づいて賢明に行動することができる。
【００１４】
オークションサイトの運営者にとって、自己のサイトを他サイトと比較し、その優位性を一般に知ってもらうチャンスとなる。
本発明の提供する情報によって、ネットオークション市場が透明化すれば、ネットオークションサイトの競争淘汰などが進み、ネットオークションの健全な発展が期待できる。
【発明を実施するための最良の形態】
【００１５】
図１に、本発明の実施形態のシステム構成例を示す。
一般ユーザの端末１（以下「ユーザ側端末１」）はインターネットＮを介して、各種のネットオークションサイトを運営するオークション運営者のコンピュータ２（以下、「サイト運営コンピュータ２」）と接続している。一方、本システムの管理コンピュータ３もインターネットＮに接続している。
また、図１では、ユーザ側端末１は１台、サイト運営コンピュータ２は３台しか描かれていないが、それぞれ任意台数がインターネットＮに接続している。
【００１６】
なお、ユーザ側端末１としては、パーソナルコンピュータ、携帯電話等のインターネット接続機能のある情報処理装置であるならば、その種類は問わない。
ユーザ側端末１は、画面表示部４とキーボードやマウスなどの入力部５を備えている。また、ユーザ側端末１には、Ｗｅｂページを閲覧するためのソフトウェア６（以下「Ｗｅｂブラウザ６」）が実装されている。このＷｅｂブラウザ６の機能によって、管理コンピュータ３から送信されるページ情報を画面表示部４に表示させたり、入力部５を介して入力された依頼情報を管理コンピュータ３へ送信したりする。
【００１７】
サイト運営コンピュータ２は、ネットオークションを運営管理する各種機能を実現したり、ユーザ側端末１へ提供するためのＷｅｂページデータを格納したりする機能を有する。サイト運営コンピュータ２は、これらの機能を１台のコンピュータで実現しても、複数台のコンピュータで実現してもよい。
【００１８】
管理コンピュータ３は、本発明のシステムを管理する機能を有し、図２に示すように、処理部７、インタフェース部８、記憶部９を含み、他に図示しない入出力部も含む。
【００１９】
処理部７の各種機能は、コンピュータプログラムの各命令コードを図示しないＣＰＵが実行することで実現される。ただし、その機能の一部をハードウェアで分担してもかまわない。処理部７の各種機能については、後で、詳しく説明する。
【００２０】
インタフェース部８は、その機能をソフトウェアとハードウェアで分担してもよいが、いずれか一方で実現してもよい。
ユーザ側端末１、サイト運営コンピュータ２との情報の送受信は、インターネットを経由し、このインタフェース部８を介して行われる。処理部７は、特に図示しないが、このインタフェース部８を制御する機能も備えている。
【００２１】
記憶部９は、記憶対象となるデータの種類に応じて、ＲＡＭ、ＲＯＭ、あるいはハードディスクなどの外部補助記憶媒体で実現する。管理コンピュータ３とは別体のコンピュータをデータベースサーバとして利用してもよい。
記憶部９には、実サイト情報記憶部１６、アクセス情報記憶部１７が含まれる。パラメータ変数を記憶したり、処理の途中経過の値を一時的に記憶させたりする、その他の記憶部（図示せず）も備える。
実サイト情報記憶部１６は、ネットオークションの実サイトの検索によって取得した情報を記憶しておくものである。実サイトから得た生データだけでなく、このシステムによって編集された後のデータも記憶してもよい。
アクセス情報記憶部１７は、このシステムにアクセスしてきた一般ユーザの行動履歴を記憶しておくものである。
【００２２】
次に、図２のブロック図を参照しながら、管理コンピュータ３の構成について処理部７の機能を主体として説明する。
処理部７の機能を、実サイト情報取得手段１０、実サイト情報書込手段１１、ユーザ依頼受付手段１２、情報抽出手段１３、情報編集手段１４および情報返信手段１５に分けて説明する。処理部７を、このように分けたのは、あくまで説明の便宜のためにすぎない。
【００２３】
実サイト情報取得手段１０は、ネットオークションサイトからの情報の取得を制御する機能を有し、インタフェース部８を介して、サイト運営コンピュータ２から取得した情報を、実サイト情報書込手段１１あるいは／及び情報抽出手段１３に渡すものである。
実サイト情報取得手段１０による情報の取得は、ユーザ側端末１からのアクセスがある都度行い、取得した情報を情報抽出手段１３に渡してもよい。しかし、ユーザに対する迅速な情報提供の観点からは、対象とするネットオークションサイトを一定の時間間隔で巡回して、最新情報を取得し、これを実サイト情報書込手段１１に渡し、実サイト情報記憶部１６に保存しておくことが望ましい。このようにすれば、ユーザのアクセスがあったとき、実サイト情報記憶部１６を参照すればよく、外部との通信が不要となるからである。
【００２４】
実サイト情報書込手段１１は、運営サイトから得たページ情報をそのまま実サイト情報記憶部１６に保存する。ただし、適宜生データを編集したうえで保存してもかまわない。
【００２５】
ユーザ依頼受付手段１２は、インタフェース部８を介してユーザ側端末１から送信された各種依頼、例えば、検索キーワードとともに送信される検索依頼などを受信する。ユーザ依頼受付手段１２は、これらの依頼の内容を、アクセス情報記憶部１７に保存するとともに、情報抽出手段１３に対し、ユーザからの依頼に応じた情報の抽出を指示する。
【００２６】
情報抽出手段１３は、実サイト情報記憶部１６、アクセス情報記憶部１７に保存してあった情報を参照したり、実サイト情報取得手段１０を介して運営サイトから情報を取得したりする。
【００２７】
情報編集手段１４は、情報抽出手段１３によって取り出された情報を入力とし、ユーザの依頼に応じた情報の編集を行う。編集後の情報は、情報返信手段１５、インタフェース部８を介して、インターネットＮ経由でユーザ側端末１に返信される。また、編集後のデータは、実サイト情報記憶部１６、あるいはアクセス情報記憶部１７に保存されることもある。同一の依頼が同一または別のユーザから送信されてくる場合の便宜などを考慮したものである。
【００２８】
以上説明した、図１のシステム構成、図２のブロック図は、本発明の実施形態の一例にすぎない。
では、本実施形態で提供する各種情報について詳しく説明する。
【００２９】
入力部５を介して、本実施形態のオークション統計サイトの閲覧要求があると、ユーザ側端末１にインストールされているＷｅｂブラウザ６は、インターネットＮを介して、管理コンピュータ３にＷｅｂページを記述したＨＴＭＬ文書の送信を要求する。通常、このＷｅｂページは当該サイトのトップページであり、図３に例示するようなものである。
【００３０】
ユーザは、本実施形態のシステムを利用する場合、Ｗｅｂブラウザ６にトップページのＵＲＬを入力すると、図３のページＰ０１のデータが管理コンピュータ３から返信されるので、これをブラウザ６によって画面表示部４に表示する。このシステムが提供可能な機能がメニューとして提示される。図３の例では、「一括検索」（Ｍ０１）、「出品数推移」（Ｍ０２）、「入札価格推移」（Ｍ０３）、「アクセス集計」（Ｍ０４）、「最新検索キーワード」（Ｍ０５）の５種類の機能が利用できるようになっているが、これらに限るものではない。
【００３１】
ページＰ０１において、メニューＭ０１を選択すると、図４に示すような、「一括検索」のページＰ０２が、画面表示される。なお、メニューを選択すると、Ｗｅｂブラウザ６を介して、どのメニューが選択されたかを示す信号が管理コンピュータ３に送信され、管理コンピュータ３が該当するページデータを返信すると、Ｗｅｂブラウザ６によって、このページデータが画面表示部４に表示されることになる。このページ表示の仕組みは周知のことなので、以後説明を簡潔にするために、“メニュー○○を選択すると、○○のページが画面表示される”といった表現をする。
【００３２】
「一括検索」とは、複数のネットオークションサイトで扱う出品を一括して検索し、同時に表示するという意味である。ページＰ０２では、価格帯、期間、データ表示の並び順、出品のカテゴリ、検索語をユーザが指定するようになっている。
期間に対応する入力フィールド１０１には、“開催中”あるいは“落札品”の別を指定する。“開催中”を指定すれば、まだ入札可能な出品の情報を、“落札品”を指定すれば、すでに入札が終了した出品の情報を閲覧することができる。
検索語に対応するフィールド１０２には、検索のためのキーワードを入力する。ＡＮＤ検索、ＯＲ検索あるいはマイナス検索などの検索オプションをユーザが選択できるようにしてもよい。
検索対象とは、ネットオークションサイトのことであり、図４の例では、一般ユーザがチェックボックス１０３ａ、１０３ｂ、１０３ｃにチェックマークを入れることで、関心のあるネットオークションサイトのみを選択できるようにしている。必要な入力を終えると、検索ボタン１０４をマウスなどの入力部５で押下する。
【００３３】
図５のページＰ０３は、この一括検索の結果を例示したものである。この例では、“ＡＺオークション”と“ＣＸマーケット”という異なる運営サイトの出品情報が、“タイトル”、“価格”、“入札件数”および“残り時間”という共通なフォーマットで、並列表示されている。このような表示の見易さのため、ユーザは比較検討が容易になる。個々のネットオークションサイトにアクセスして、独自のフォーマットで表示される情報を基に比較検討する場合と比べ、本実施形態の利便性は明らかである。
【００３４】
次に、図３のページＰ０１において、メニュー項目Ｍ０２を選択した場合のページ表示例を図６に示す。ページＰ０４は、ネットオークションサイト毎の出品数、前日比、全運営サイトの出品数を１００％としたときの、当該サイトが占める割合を一覧表示している。あわせて、ページＰ０４は、運営サイト毎の最近５日間の出品数の増減も表示する。
図５や図６に示すような表示をするためには、管理コンピュータ３の情報抽出手段１３は、実サイト情報記憶部１６から必要な情報を取り出し、情報編集手段１４によって予め定めたフォーマットにあわせて編集することになる。実サイト情報を記憶するためのデータ構造、データの取得の仕方、データの編集などは、いずれも周知の技術を利用するものであり、詳細は省略する。
なお、表示項目、表示対象日数、表示形式（表、グラフなど）として何を採用するかは、パラメータの設定などで自由に変更できる。
ページＰ０４に例示するような情報によって、ユーザは、取扱量の多いサイトはどこか、今後の成長が予測されるサイトはどこか、といった判断ができる。
【００３５】
続いて、図３のページＰ０１において、メニュー項目Ｍ０３を選択した場合のページ表示例を、図７のページＰ０５に示す。なお、ページＰ０５が表示される前に、対象商品を選択する検索画面などが介在しているが、説明は省略する。
このような出品別の入札価格がグラフによって一目瞭然となるので、一般ユーザは、自分が買い手となる場合、売り手となる場合のいずれであっても、相場を認識した上で賢明に振舞うことができる。
なお、入札価格推移グラフの表示のためには、管理コンピュータ３は、実サイト情報取得手段１０によって取得された情報から、サイト別商品別の入札価格を抽出し、記憶部９に保存しておく必要があることは言うまでもない。
【００３６】
一般ユーザへ提供する情報として、今まで述べたものは、複数のネットオークションサイトから取得したデータを編集するものであった。
しかし、本実施形態のシステムにアクセスしてくる一般ユーザの行動自体も、有益な情報となりうる。そのためには、管理コンピュータ３は、ユーザ側端末１から送信された各種依頼をユーザ依頼受付手段１２によって受信し、閲覧要求のあったページのＵＲＬや検索キーワード等のアクセスログをアクセス情報記憶部１７に保存し、情報編集手段１４があらかじめ定められたフォーマットに従って、編集する。
以下、このような情報の例を２つ挙げる。
【００３７】
第１の例は、本実施形態のシステムへのアクセス数であり、これは、図３のページＰ０１において、メニュー項目Ｍ０４を選択すると得られる情報である。
図８に示すページＰ０６は、このシステムへのアクセスログをもとにアクセス数を集計表示したものである。この例では、ページ種類別に前日および最近の１０日間のアクセス総数を一覧表示するとともに、最近の１０日間の推移を折れ線グラフで表したものである。
なお、図８において、ユニークユーザとは、ある種類のページを特定の期間に訪れたユーザのユニークな数をいう。同じ種類のページを複数回訪れた人がいれば、１人とカウントする。また、ページビューとは、ある種類のページを特定の期間に訪れたユーザの延べ人数をいう。１人のユーザが同じ種類のページをｎ回訪れたならば、ｎ人とカウントする。
ページＰ０６を参照することによって、ユーザは、例えば、このシステムの利用者数、このシステムの提供サービスとして人気のあるものは何か、等の情報を得ることができる。
ページＰ０６に限ったことではないが、このシステムの提供する情報に基づき、ユーザは、その洞察力に応じて、各種の情報を汲み取ることが可能となる。
【００３８】
第２の例は、一般ユーザが指定する検索キーワードであり、これは、図３のページＰ０１において、メニュー項目Ｍ０５を選択すると得られる情報である。
図９に示すページＰ０７は、このシステムのユーザによって検索キーワードとして入力されたものを表示している。目下、注目されている商品は何か、人々の関心事は何か等を窺い知ることができる。この情報は、自分が出品したいと考える商品を何時オークションにかけるか、といったタイミングを図るうえで参考となりうる。
【００３９】
本実施形態が提供する情報は、以上述べたものに限らない。
例えば、決済に利用されるネット銀行について、オークションサイト毎に利用されるネット銀行の割合や、利用者数の推移等の情報を提供してもよい。
あるいは、掲示板の機能を設け、一般ユーザからのコメントを表示してもよい。オークション参加者のさまざまな意見を公開することで、一般ユーザは、各ネットオークションサイトや特定の出品者の評判などを知ることができる。
管理コンピュータ３が取得する膨大な情報を基に、編集が可能で、かつユーザにとって有益と考えられる情報は、本発明の提供対象となる。
また、以上の説明では、ユーザとして、専ら一般ユーザを想定してきた。しかし、本発明の提供対象となる情報は、ネットオークションサイトやネット銀行などにとっても有用である。
【００４０】
なお、前記のように開示された実施の形態はすべての点で例示であって、制限的なものではない。したがって、種々の変形が可能である。しかし、その変形が特許請求の範囲に記載された技術思想に基づくものである限り、その変形は本発明の技術的範囲に含まれる。
【産業上の利用可能性】
【００４１】
一般ユーザへネットオークションに関する適切な情報を提供することにより、参加者の増加を促すとともに、ネットオークションの透明性を高め、ネットオークションの健全な発展に寄与することができる。
【図面の簡単な説明】
【００４２】
【図１】本実施形態のシステム構成例を示す図である。
【図２】本実施形態の管理コンピュータのブロック構成例を示す図である。
【図３】本実施形態がＷｅｂベースで行われるときのトップページの画面表示例である。
【図４】本実施形態の一括検索を受け付ける画面例である。
【図５】本実施形態の一括検索結果を表示する画面例である。
【図６】本実施形態の出品数推移を表示する画面例である。
【図７】本実施形態の入札価格推移を表示する画面例である。
【図８】本実施形態のアクセス集計を表示する画面例である。
【図９】本実施形態の最新検索キーワードを一覧表示する画面例である。
【符号の説明】
【００４３】
１  ユーザ側端末
２  サイト運営コンピュータ
３  管理コンピュータ
７  処理部
８  インタフェース部
９  記憶部
１０  実サイト情報取得手段
１１  実サイト情報書込手段
１２  ユーザ依頼受付手段
１３  情報抽出手段
１４  情報編集手段
１５  情報返信手段
Ｎ  インターネット
【図３】
2007199794.tif 000003
【図４】
2007199794.tif 000004
【図５】
2007199794.tif 000005
【図６】
2007199794.tif 000006
【図７】
2007199794.tif 000007
【図８】
2007199794.tif 000008
【図９】
2007199794.tif 000009
【図１】
2007199794.tif 000010
【図２】
2007199794.tif 000011